(57)【特許請求の範囲】
【請求項１】
競技フィールドと、
前記競技フィールドの周囲に設けられた、観客席を有するスタンドと、
前記スタンドと連続し且つ前記競技フィールドから隔てて設けられた、観客席、屋根、前記スタンド側の側壁および前記競技フィールド側の端壁を有するホールと、
を具備し、
前記側壁および前記端壁が開閉可能であり、
前記屋根は、前記競技フィールド側の端部に垂れ壁を有し、
前記垂れ壁と前記端壁は、それぞれ、前記屋根の前記競技フィールド側の端部とグラウンドレベルの間の上部と下部に設けられ、
前記端壁の前記ホールの観客席側の面にディスプレイを備え、
前記端壁は、前記垂れ壁の下端を中心として鉛直面内で回転することで、前記垂れ壁の前記競技フィールド側の面に組み込み可能であることを特徴とするスタジアム建造物。
【請求項２】
前記競技フィールドは天然芝部分を有することを特徴とする請求項１記載のスタジアム建造物。
【請求項３】
前記垂れ壁の前記ホールの観客席側の面にディスプレイを備えたことを特徴とする請求項１または請求項２に記載のスタジアム建造物。
【請求項４】
前記屋根が、前記ホールの観客席側から前記競技フィールドに向かう方向に沿って進退可能であることを特徴とする請求項１から請求項３のいずれかに記載のスタジアム建造物。
【請求項５】
前記ホールは、前記スタジアム建造物のメインスタンドにあたる部分に設けられていることを特徴とする請求項１から請求項４のいずれかに記載のスタジアム建造物。
【発明の詳細な説明】
【技術分野】
【０００１】
本発明は、スタジアム建造物に関する。
【背景技術】
【０００２】
オリンピックやワールドカップ等のスポーツのために世界の主要都市に大規模スタジアムが建設されているが、大会後の有効利用が大きな課題となっている。このような課題に対し、スタジアムを多目的に用いるためスタジアムを仕切って屋内の空間を利用するものがある（特許文献１〜５参照）。
【０００３】
特許文献１は、観客席の脇に内蔵された可動壁により、野球場の内野フィールドを仕切って劇場空間とするものである。特許文献２は、ドーム空間内に遮光板と吊下げ壁を設け、これにより空間を分割利用するものである。特許文献３には、防音シャッタにより空間を分割利用することが記載されている。特許文献４には、グラウンドから立ち上がるテレスコ柱と壁体ユニットにより空間を分割利用することが記載されている。特許文献５には、アイスアリーナにおいて、屋根部から昇降可能に取付られた天井壁ユニットにより空間を分割することが記載されている。
【先行技術文献】
【特許文献】
【０００４】
【特許文献１】特許第4890330号
【特許文献２】特開平6-240897号公報
【特許文献３】特許第3591905号
【特許文献４】特開平8-260738号公報
【特許文献５】特開2005-23516号公報
【発明の概要】
【発明が解決しようとする課題】
【０００５】
陸上競技、サッカー、ラグビー等の屋外競技場では、天然芝のフィールドは必須である。しかし、スタジアムを屋内化して多目的に利用する場合、フィールドの天然芝をスポーツができる状態に維持することが難しく、天然芝維持のためのイニシャル・ランニングコストが膨大となる。
【０００６】
また、屋内化して多目的に利用できる日数も天然芝の生育上大きく限定され、イニシャルやランニングコストの大きさの割に多目的な利用によって得られる収入が低く、スタジアムを有効利用する目的にも関わらず、その施設を維持管理するためにより多くの費用がかかる。
【０００７】
本発明は上記の問題に鑑みてなされたものであり、施設の有効利用ができ、また競技フィールドの維持管理も容易なスタジアム建造物を提供することを目的とする。
【課題を解決するための手段】
【０００８】
前述した課題を解決するための第１の発明は、競技フィールドと、前記競技フィールドの周囲に設けられた、観客席を有するスタンドと、前記スタンドと連続し且つ前記競技フィールドから隔てて設けられた、観客席、屋根、前記スタンド側の側壁および前記競技フィールド側の端壁を有するホールと、を具備し、前記側壁および前記端壁が開閉可能であり、前記屋根は、前記競技フィールド側の端部に垂れ壁を有し、前記垂れ壁と前記端壁は、それぞれ、前記屋根の前記競技フィールド側の端部とグラウンドレベルの間の上部と下部に設けられ、前記端壁の前記ホールの観客席側の面にディスプレイを備え、前記端壁は、前記垂れ壁の下端を中心として鉛直面内で回転することで、前記垂れ壁の前記競技フィールド側の面に組み込み可能であることを特徴とするスタジアム建造物である。
【０００９】
本発明では、スタジアム建造物を、ホールと、競技フィールドおよびそれを取り囲むスタンド（観客席）によるスポーツ施設の２つの建物で構成する。ホールの端壁や側壁等は可動であり、多くの観客席を必要とする大規模なスポーツイベントの際は、ホールの端壁や側壁を開け離し２つの建物を一体化して通常の大規模スタジアムとして利用することができる。一方、日常的には、音楽イベントや演劇を行う屋内ホールとスポーツ施設の２つの施設とすることで、スタジアムが一年を通して有効活用可能となり、スタジアムの維持やメンテナンスのための費用に充てる事ができ、スタジアム運営に大きく貢献する。また本発明では、ホールと競技フィールドが分離されるので、ホールの存在が競技フィールドに影響を与えることなく、競技フィールドの維持管理も容易でありコストも低減できる。
【００１０】
前記競技フィールドは天然芝部分を有することが望ましい。
本発明は競技フィールドに天然芝を用いる場合に特に好適であり、その構成により天然芝の維持管理が容易となりコストを大きく低減できる。
【００１１】
前記垂れ壁の前記ホールの観客席側の面にディスプレイが備えられることが望ましい。
屋根の端部に、観客席からフィールドを見る視線の障害にならない範囲で垂れ壁を設け、その内面に大型のディスプレイを備えることで、ホール利用時とスタジアム利用時の双方において映像を映し出す大型の映像装置として用いることができ、演出効果を高めることができる。
【００１２】
前記端壁は前記ホールの観客席側の面にディスプレイを備えるものであり、前記屋根の前記競技フィールド側の端部に設けた垂れ壁の下端を中心として鉛直面内で回転することで、前記垂れ壁の前記競技フィールド側の面に組み込み可能とする。
端壁に上記のディスプレイを設けることで、ホール利用時に大型の映像装置として用いることができる。また上記のように端壁を垂れ壁に取付けておくことで、スタジアム利用時に端壁を垂れ壁に組み込んだ際にディスプレイ設置面が競技フィールド側に向くことになり、スタジアムのバックスタンドなどからも映像を見ることができる。
【００１３】
前記屋根が、前記ホールの観客席側から前記競技フィールドに向かう方向に沿って進退可能であることが望ましい。
これにより、ホールの大きさ等に合わせて適切な位置まで屋根を前進させて用いることができ、スタジアム利用時は必要に応じて後退させることができる。
【００１４】
前記ホールは、前記スタジアム建造物のメインスタンドにあたる部分に設けられていることが望ましい。
スタジアムのメインスタンド部分はイニシャルコストをかけてホスピタリティー機能が充実した施設が集中しているので、これをホールとしても利用することで、施設の効率的な利用ができる。
【発明の効果】
【００１５】
本発明により、施設の有効利用ができ、また競技フィールドの維持管理も容易なスタジアム建造物を提供することができる。
【図面の簡単な説明】
【００１６】
【図１】ホール利用時のスタジアム１を示す図
【図２】ホール利用時のスタジアム１を示す図
【図３】スタジアム利用時のスタジアム１を示す図
【図４】スタジアム利用時のスタジアム１を示す図
【図５】スタジアム１ａを示す図
【発明を実施するための形態】
【００１７】
以下、図面に基づいて本発明の好適な実施形態について詳細に説明する。
【００１８】
[第１の実施形態]
図１、図２は本発明の第１の実施形態に係るスタジアム１（スタジアム建造物）を模式的に示す図である。図１（ａ）はスタジアム１を上から見た図であり、図１（ｂ）はスタジアム１の斜視図である。また、図２は図１（ａ）の線Ａ−Ａによる断面図である。
【００１９】
図１に示すように、スタジアム１は、ホール２、スタンド３、競技フィールド４等を有する。
【００２０】
ホール２はエンドステージ型の大規模なイベントホールであり、スタンド３と連続し且つ競技フィールド４から隔てて設けられている。ホール２は屋根２１、ステージ２２、観客席２３、端壁２４、側壁２６等を有する。ホール２はスタジアム１においてメインスタンドに対応する位置に設けられており、図２に示すように、ホール２の後部にはレストラン、ボックス席、ラウンジ等のホスピタリティー施設２５も設けられる。
【００２１】
屋根２１はステージ２２および観客席２３の上方に設けられる。
【００２２】
ステージ２２はホール２の競技フィールド４側の端部にあり、競技フィールド４の脇の空間に設けられる。１階の観客席２３を可動としてステージ２２の設置空間を確保してもよい。
【００２３】
観客席２３は、ステージ２２を観覧するための座席である。
【００２４】
端壁２４はホール２の競技フィールド４側に設けられた開閉可能な外壁であり、本実施形態では端壁２４としてロールスクリーンが用いられる。ロールスクリーンは屋根２１の競技フィールド４側の端部に昇降可能に予め組み込まれており、ステージ２２と競技フィールド４の間でグラウンドレベルまで下降させることで端壁２４として用いられる。ロールスクリーンを上昇させれば屋根２１の上記端部に組み込んで収納することができる。ロールスクリーンを用いることで、ホール２の端壁２４そのものを大型の映写スクリーンとして利用でき、ホール空間の演出に用いることができる。
【００２５】
側壁２６はホール２のスタンド３側に設けられる外壁であり、本実施形態では側壁２６を開閉可能な可動式のものとする。側壁２６は、水平方向のスライド等によって観客席２３側から競技フィールド４側に向かう方向に沿って進退可能である。図１、図２の例では競技フィールド４側へとせり出した状態である。また側壁２６は大型引き戸として構成され、後退させると観客席２３側の収納部２６０に収納しておくことができる。
【００２６】
スタンド３は、観客席３３の上方に屋根３１を設けたものであり、競技フィールド４の周囲に設けられる。観客席３３は、競技フィールド４で行われる競技を観覧するための座席である。なお、屋根３１は省略することも可能である。
【００２７】
競技フィールド４は、サッカー、ラグビー等の球技や陸上競技などが行われる屋外のフィールドである。本実施形態では、競技フィールド４が天然芝のフィールド（天然芝部分）を有するものとする。
【００２８】
本実施形態では、図１、図２に示すようにホール２を利用してコンサートや演劇等が行われる。大規模なスタジアム１では、要人やメディアに対応するためにメインスタンド部分にホスピタリティー機能が集中し賛沢な空間となっているので、屋根２１や端壁２４、側壁２６等を利用して、設備の充実したメインスタンド部分を競技フィールド４やスタンド３から仕切って屋内化し、音楽イベントなどに適したエンドステージ型の観客席構成をもつ大規模なホール空間として用いる。このように、メインスタンドを中心としたエリアを小さな容積に絞ってスタジアム１を部分的に屋内化し、コンサートや演劇等のイベントを実施するのは、可動式の屋根等によりスタジアム全体を屋内化する方法に比べ、技術的に容易であり、費用がかからない。
【００２９】
例えば8万人規模のスタジアムの場合、ホール２の観客席２３は2万〜2.5万規模と推定できる。現状、スポーツ施設を利用して1万〜2万規模の音楽イベントが数多く行われているが、それよりも客席数が多く、かつ、音楽イベントに適したエンドステージ型のホール空間なので、現状のイベント需要に適した施設となっており、一年を通したニーズが期待できる。また、ドーム球場などの3.5万〜5万規模の屋内型スタジアムと比較すると、席数は1/3-1/2程度ではあるが空間の容積は1/10以下となり、大空間特有の長すぎる残響時聞が抑えられ、音響的に大きく改善するとともに空調コストを大幅に軽減することができ、より機能的かつ低料金で施設を提供できる。
【００３０】
ホール２は競技フィールド４と隔てられているので、天然芝の維持のために利用日数が限定されることなく一年を通して利用できる。またホール２としての利用中であっても、スタンド３や競技フィールド４をスポーツ施設として利用し、競技フィールド４において競技を行うことができる。さらに、スタジアム１のメインスタンドは競技場の基準により西側に設置されるので、メインスタンドを中心として設けられるホール２は、天然芝に必要な日射環境への影響も少なく、天然芝維持のための設備も通常の専用スタジアムと同程度のものとなり、特別な費用が発生することもない。
【００３１】
図３、図４は、スタジアム１で陸上競技、サッカー、ラグビー等の大規模なスポーツイベントを行う際（スタジアム利用時）のスタジアム１を示す図である。図３（ａ）はスタジアム１を上から見た図であり、図３（ｂ）はスタジアム１の斜視図である。図４は図２と同様の断面を示したものである。
【００３２】
本実施形態では、図１、図２に示した状態から端壁２４を上昇させて屋根２１の端部に組み込む。また側壁２６を後退させ、ステージ２２を撤去する。これにより、ホール２とスタンド３等を一体化し、ホール２の観客席２３をメインスタンドとして、スタンド３の観客席３３と合わせてスタジアム１全体で競技フィールド４での競技の観覧が可能になる。
【００３３】
以上説明したように、本実施形態では、スタジアム１を、ホール２と、競技フィールド４およびそれを取り囲むスタンド３（観客席３３）によるスポーツ施設の２つの建物で構成する。ホール２の端壁２４や側壁２６等は可動であり、多くの観客席を必要とする大規模なスポーツイベントの際は、ホール２の端壁２４や側壁２６を開け離し２つの建物を一体化して通常の大規模スタジアムとして利用することができる。
【００３４】
一方、日常的には、音楽イベントや演劇を行う屋内ホールとスポーツ施設の２つの施設とすることで、スタジアム１が一年を通して有効活用可能となる。この技術により、スタジアム１の利用頻度を上げ、スタジアム１の維持やメンテナンスのための費用に充てる事ができ、スタジアム運営に大きく貢献する。
【００３５】
また本実施形態ではホール２と競技フィールド４が分離されるので、ホール２の存在が競技フィールド４に影響を与えることがなく、競技フィールド４の維持管理が容易になる。特に本実施形態のように競技フィールド４に天然芝を用いる場合に天然芝の維持管理が容易になることで、コストが大きく低減できる。
【００３６】
端壁２４は、屋根２１の端部に昇降可能に予め組み込んでおいたものを用いることで好適に形成できる。また端壁２４としてロールスクリーンを用いることで、端壁２４を大型の映写スクリーンとして用いることができる。
【００３７】
また、ホール２は、スタジアム１のメインスタンドにあたる部分に設けられているので、ホスピタリティー機能の充実したメインスタンド部分をホールとしても利用することで、施設の効率的な利用ができる。
【００３８】
しかしながら、本発明はこれに限らない。例えば、屋根２１を可動式の屋根とし、観客席２３側から競技フィールド４側へ向かう方向に沿って進退可能としてもよい。屋根２１は側壁２６と同様大型引き戸として構成でき、後退させた時に観客席２３側の収納部に収納しておくことができる。屋根２１のせり出す長さを変えることで、ホール空間の大きさ（広さ）を変えることができる。また競技フィールド脇に陸上トラックがありスタジアム利用時にこの陸上トラックを使用する場合など、屋根２１を必要に応じて後退させることもできる。
【００３９】
また本実施形態では端壁２４としてロールスクリーンを用いたが、ロールスクリーンの代わりに屋根２１の端部に折り畳み式、スライド式、回転式等により昇降可能な可動壁を組み込むこともでき、この可動壁を降ろして端壁２４として利用することもできる。この可動壁には、端壁２４としての利用時に観客席２３側となる面に自ら映像を表示する大型の映像装置（ディスプレイ）を設けてもよい。この場合も、ディスプレイに映像を表示させることでホール空間の演出に用いることができる。
【００４０】
また側壁２６についても端壁２４と同様、予め屋根２１に昇降可能に組み込んでおいたものを下降させて用いるようにしてもよい。あるいは、端壁２４を、側壁２６と同様水平方向のスライドにより開閉可能とすることもできる。
【００４１】
また、ホール２はスタジアム１のメインスタンド以外の部分に当たる位置に設けることもできる。さらに、スタジアム１は、ホール２やスタンド３等を新築するものではなく、既存のスタジアムを改修してメインスタンド部分にホール２を設けたものであってもよい。さらに、競技フィールド４は天然芝でなく人工芝や土その他の材料によるグラウンドなどであってもよい。
【００４２】
次に、本発明の別の例について第２の実施形態として説明する。第２の実施形態は第１の実施形態と異なる点について主に説明し、同様の点については図等で同じ符号を付すなどして説明を省略する。また、第２の実施形態で説明する構成は、必要に応じて第１の実施形態と組み合わせて用いることが可能である。
【００４３】
[第２の実施形態]
図５（ａ）は第２の実施形態のスタジアム１ａを示す図であり、図２、４と同様の断面を示したものである。
【００４４】
本実施形態ではホール２ａの屋根２１ａが、競技フィールド４側の端部に、観客席２３からフィールドを見る視線（例えば、図５（ｂ）の点線矢印参照）の障害にならない範囲で垂れ壁２１１を有する。垂れ壁２１１の観客席２３側の面には自ら映像を表示する大型の映像装置（ディスプレイ）２１２が設けられる。このディスプレイ２１２に演者の表情、舞台背景等の映像を表示させることでホール空間の演出に用いることができる。
【００４５】
垂れ壁２１１にはさらに可動壁２８（端壁）が設けられる。可動壁２８は、点線で示すように予め垂れ壁２１１の競技フィールド４側の面に組み込まれ、矢印に示すように垂れ壁２１１の下端を中心として鉛直面内で回転することにより昇降可能である。この可動壁２８をステージ２２と競技フィールド４の間でグラウンドレベルまで下降させて端壁として用い、ホール空間を形成する。可動壁２８は、上記のような回転式の他、折り畳み式、スライド式等により昇降可能に垂れ壁２１１に組み込んでおいてもよい。また可動壁２８の代わりに第１の実施形態のようなロールスクリーンを用いることもできる。
【００４６】
図５（ｂ）は、スタジアム１ａで陸上競技、サッカー、ラグビー等の大規模なスポーツイベントを行う際（スタジアム利用時）のスタジアム１ａを示す図である。
【００４７】
本実施形態では、図５（ａ）に示した状態から可動壁２８を上昇させて垂れ壁２１１に組み込み、側壁２６を後退させ、ステージ２２を撤去する。これにより、ホール２ａとスタンド３等を一体化し、ホール２ａの観客席２３をメインスタンドとして、スタンド３の観客席３３と合わせてスタジアム１ａ全体で競技フィールド４での競技の観覧が可能になる。
【００４８】
本実施形態では、この場合も垂れ壁２１１のディスプレイ２１２に選手の表情等の競技シーンを映写するなどして観客席２３から見えるようにしている。現代のスタジアム建築では、巨大な映像装置が必須の設備となっているが、通常、サイドスタンドの後など、メインとなる観客席から遠く斜めに見るような位置に設置される場合が多い。しかし、本実施形態では屋根２１ａの端部の垂れ壁２１１の観客席２３側の面にディスプレイ２１２を設けることで、これを大型の映像装置として機能させ、ホール、スタジアムのどの利用パターンにおいてもメインとなる観客席２３の正面により近い効果的な位置で利用することができる。
【００４９】
なお、可動壁２８についても、図５（ａ）に示すホール利用時に観客席２３側となる面に同様のディスプレイを設けることができる。この場合、図５（ｂ）に示すスタジアム利用時に可動壁２８を回転させて垂れ壁２１１の競技フィールド４側の面に組み込むと、ディスプレイ設置面が競技フィールド４側に向くことになる。従って、このディスプレイに映像を表示することでスタジアム１のバックスタンドなどからも映像が見え、演出効果が高まる。また、可動壁２８やロールスクリーンを垂れ壁２１１の内部に組み込む場合などでは、垂れ壁２１１の競技フィールド４側の面にディスプレイを設けることでも同様の効果が得られる。このように大型映像装置を効果的な位置に設置し利用頻度を高めることで、現代スタジアムの高価な必須設備である大型映像装置の有効利用が可能になる。
【００５０】
さらに、屋根２１ａの垂れ壁２１１は常時下方に向け備えられている必要はなく、例えば屋根２１ａの競技フィールド４側の端部に折り畳んだ状態で昇降可能に組み込んでおき、必要に応じて垂れ壁２１１を下降させるようにしてもよい。
【００５１】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５２】
１、１ａ；スタジアム
２、２ａ；ホール
３；スタンド
４；競技フィールド
２１、２１ａ、３１；屋根
２２；ステージ
２３、３３；観客席
２４；端壁 
２５；ホスピタリティー施設
２６；側壁
２８；可動壁
２１１；垂れ壁
２１２；ディスプレイ
２６０；収納部
【図１】
0006505581.tif 000002
【図２】
0006505581.tif 000003
【図３】
0006505581.tif 000004
【図４】
0006505581.tif 000005
【図５】
0006505581.tif 000006